(57)【要約】【課題】基板の額縁幅を平面方向に増大することなく、また、基板の厚み方向を増大することもない電気光学装置及び電子機器を提供すること。【解決手段】複数の画素が行列状に配列されてなる画素部１０を有する第１の基板１１と、第１の基板１１に対向して配置される第２の基板１２と、第１の基板１１と第２の基板１２との間に挟持されてなる電気光学物質とを備える電気光学装置１において、画素部１０の各画素を行単位で選択する垂直駆動回路１４と、垂直駆動回路１４により選択された行の各画素に対して画像信号を供給する水平駆動回路１５と、垂直駆動回路１４と水平駆動回路１５とに所定の電圧を供給する電源回路１６とを備え、垂直駆動回路１４、水平駆動回路１５及び電源回路１６は、第１の基板１１及び第２の基板１２にそれぞれ振り分けて配置されている。【選択図】図４
2007304387.tif 000002
【特許請求の範囲】
【請求項１】
複数の画素が行列状に配列されてなる画素部を有する第１の基板と、前記第１の基板に
対向して配置される第２の基板と、前記第１の基板と前記第２の基板との間に挟持されて
なる電気光学物質とを備える電気光学装置において、
前記画素部の各画素を行単位で選択する垂直駆動回路と、
前記垂直駆動回路により選択された行の各画素に対して画像信号を供給する水平駆動回
路と、
前記垂直駆動回路と前記水平駆動回路とに所定の電圧を供給する電源回路とを備え、
前記垂直駆動回路、前記水平駆動回路及び前記電源回路は、前記第１の基板及び前記第
２の基板にそれぞれ振り分けて配置されていることを特徴とする電気光学装置。
【請求項２】
請求項１に記載の電気光学装置において、
前記水平駆動回路は、シフトパルス信号を出力するシフトレジスタ部と、前記シフトレ
ジスタ部から出力される前記シフトパルス信号に基づいて、外部から入力されるデジタル
画像信号を直並列変換して記憶するラッチ回路と、前記ラッチ回路に記憶されている直並
列変換後の前記デジタル画像信号をアナログ画像信号に変換するデジタル／アナログ変換
部とから構成されており、
前記シフトレジスタ部及び前記ラッチ回路は、前記第１の基板側に配置されており、
前記デジタル／アナログ変換部は、前記第２の基板側に配置されていることを特徴とす
る電気光学装置。
【請求項３】
請求項２に記載の電気光学装置において、
前記第１の基板と前記第２の基板との間には、前記ラッチ回路と前記デジタル／アナロ
グ変換部とを電気的に導通するための導通部が設けられていることを特徴とする電気光学
装置。
【請求項４】
請求項１に記載の電気光学装置において、
前記水平駆動回路は、シフトパルス信号を出力するシフトレジスタ部と、前記シフトレ
ジスタ部から出力される前記シフトパルス信号に基づいて、外部から入力されるデジタル
画像信号を直並列変換して記憶するラッチ回路と、前記ラッチ回路に記憶されている直並
列変換後の前記デジタル画像信号をアナログ画像信号に変換するデジタル／アナログ変換
部とから構成されており、
前記ラッチ回路及び前記デジタル／アナログ変換部は、前記第１の基板側に配置されて
おり、
前記シフトレジスタ部は、前記第２の基板側に配置されていることを特徴とする電気光
学装置。
【請求項５】
請求項４に記載の電気光学装置において、
前記第１の基板と前記第２の基板との間には、前記シフトレジスタ部と前記ラッチ回路
とを電気的に導通するための導通部が配置されていることを特徴とする電気光学装置。
【請求項６】
請求項１に記載の電気光学装置において、
前記水平駆動回路は、シフトパルス信号を出力するシフトレジスタ部と、前記シフトレ
ジスタ部から出力される前記シフトパルス信号に基づいて、外部から入力されるデジタル
画像信号を直並列変換して記憶するラッチ回路と、前記ラッチ回路に記憶されている直並
列変換後の前記デジタル画像信号をアナログ画像信号に変換するデジタル／アナログ変換
部とから構成されており、
前記デジタル／アナログ変換部は、前記第１の基板側に配置されており、
前記ラッチ回路及び前記シフトレジスタ部は、前記第２の基板側に配置されていること
を特徴とする電気光学装置。
【請求項７】
請求項６に記載の電気光学装置において、
前記第１の基板と前記第２の基板との間には、前記ラッチ回路と前記デジタル／アナロ
グ変換部とを電気的に導通するための導通部が設けられていることを特徴とする電気光学
装置。
【請求項８】
請求項１に記載の電気光学装置において、
前記垂直駆動回路及び前記水平駆動回路は、前記第１の基板側に配置されており、
前記電源回路は、前記第２の基板側に配置されていることを特徴とする電気光学装置。
【請求項９】
請求項８に記載の電気光学装置において、
前記第１の基板と前記第２の基板との間には、前記垂直駆動回路及び前記水平駆動回路
と、前記電源回路とを電気的に導通するための導通部が設けられていることを特徴とする
電気光学装置。
【請求項１０】
請求項３、５、７又は９のいずれか１項に記載の電気光学装置において、
前記導通部は、前記第１の基板と前記第２の基板とを接着する接着材と一体的に構成さ
れていることを特徴とする電気光学装置。
【請求項１１】
請求項１乃至１０のいずれか１項に記載の電気光学装置を備えたことを特徴とする電子
機器。
【発明の詳細な説明】
【技術分野】
【０００１】
本発明は、所定の情報を表示する電気光学装置および電子機器に関する。
【背景技術】
【０００２】
従来より、画像を表示する液晶表示装置等の電気光学装置が知られている。この電気光
学装置は、例えば、液晶パネルと、この液晶パネルを駆動する駆動回路と、この液晶パネ
ルの背面側から光を照射するバックライト等の光源部とを備える。
【０００３】
駆動回路は、入力される基準電圧に基づいて各種の所定の電圧を生成する電源回路と、
外部から入力される信号に基づいて信号処理を行う液晶コントローラと、液晶コントロー
ラからの指示に基づいて、外部から入力される画像信号を液晶パネルに出力する水平駆動
回路と、液晶コントローラからの指示に基づいて走査パルスを液晶パネルに出力する垂直
駆動回路とから構成されている。
【０００４】
また、液晶パネルは、アクティブマトリクス型の場合には、互いに直交して配置される
複数本の信号線と走査線との交点ごとに薄膜トランジスタ（以降、ＴＦＴ（Thin  Film  
Transistor）と呼ぶ。）を介して画素電極が配置されてなる画素部を有するアレイ基板と
、このアレイ基板に対向する対向電極が形成されてなる対向基板との間に、配向膜を介し
て液晶等の電気光学物質が挟持されて構成されている。
【特許文献１】特開２００２−１７５０３４号公報
【発明の開示】
【発明が解決しようとする課題】
【０００５】
ところで、近年、装置全体の小規模化を図るために、駆動回路は、いわゆるＳＯＧ（Sy
stem  On  Glass）技術により、アレイ基板の空きスペース（画素部周辺のスペース）（
以降、額縁幅という）上に集積されるようになっている（例えば、特許文献１参照。）。
【０００６】
しかしながら、駆動回路は、比較的大きなスペースを必要とし、額縁幅が大規模化する
問題点がある。
【０００７】
本発明は、額縁幅の大規模化を伴わずに駆動回路を液晶パネル内に内蔵する電気光学装
置および電子機器を提供することを目的とする。
【課題を解決するための手段】
【０００８】
本発明の電気光学装置は、複数の画素が行列状に配列されてなる画素部を有する第１の
基板と、前記第１の基板に対向して配置される第２の基板と、前記第１の基板と前記第２
の基板との間に挟持されてなる電気光学物質とを備える電気光学装置において、前記画素
部の各画素を行単位で選択する垂直駆動回路と、前記垂直駆動回路により選択された行の
各画素に対して画像信号を供給する水平駆動回路と、前記垂直駆動回路と前記水平駆動回
路とに所定の電圧を供給する電源回路とを備え、前記垂直駆動回路、前記水平駆動回路お
よび前記電源回路は、前記第１の基板および前記第２の基板にそれぞれ振り分けて配置さ
れていることを特徴とする。
【０００９】
この発明によれば、駆動回路を構成する各回路を同一基板上に配置せずに、アレイ基板
および対向基板にそれぞれ振り分けて配置するので、基板の額縁幅を平面方向に増大する
ことなく、また、基板の厚み方向を増大することもない。
【００１０】
本発明の電気光学装置では、前記水平駆動回路は、シフトパルス信号を出力するシフト
レジスタ部と、前記シフトレジスタ部から出力される前記シフトパルス信号に基づいて、
外部から入力されるデジタル画像信号を直並列変換して記憶するラッチ回路と、前記ラッ
チ回路に記憶されている直並列変換後の前記デジタル画像信号をアナログ画像信号に変換
するデジタル／アナログ変換部とから構成されており、前記シフトレジスタ部および前記
ラッチ回路は、前記第１の基板側に配置されており、前記デジタル／アナログ変換部は、
前記第２の基板側に配置されていることが好ましい。
【００１１】
この発明によれば、第１の基板側にシフトレジスタ部とラッチ回路を配置し、第２の基
板側にデジタル／アナログ変換部を配置するので、基板の額縁幅を平面方向に増大するこ
となく、また、基板の厚み方向を増大することもない。
【００１２】
また、本発明の電気光学装置では、前記第１の基板と前記第２の基板との間には、前記
ラッチ回路と前記デジタル／アナログ変換部とを電気的に導通するための導通部が設けら
れていることが好ましい。
【００１３】
この発明によれば、同一基板上に配置されていないラッチ回路とデジタル／アナログ変
換部とを電気的に導通することができ、同一基板上に配置されている従来の電気光学装置
と同一の機能を発揮でき、かつ、基板の額縁幅を平面方向に増大することなく、また、基
板の厚み方向を増大することもない。
【００１４】
また、本発明の電気光学装置では、前記水平駆動回路は、シフトパルス信号を出力する
シフトレジスタ部と、前記シフトレジスタ部から出力される前記シフトパルス信号に基づ
いて、外部から入力されるデジタル画像信号を直並列変換して記憶するラッチ回路と、前
記ラッチ回路に記憶されている直並列変換後の前記デジタル画像信号をアナログ画像信号
に変換するデジタル／アナログ変換部とから構成されており、前記ラッチ回路および前記
デジタル／アナログ変換部は、前記第１の基板側に配置されており、前記シフトレジスタ
部は、前記第２の基板側に配置されていることが好ましい。
【００１５】
この発明によれば、第１の基板側にラッチ回路およびデジタル／アナログ変換部を配置
し、第２の基板側にシフトレジスタ部を配置するので、基板の額縁幅を平面方向に増大す
ることなく、また、基板の厚み方向を増大することもない。
【００１６】
また、本発明の電気光学装置では、前記第１の基板と前記第２の基板との間には、前記
シフトレジスタ部と前記ラッチ回路とを電気的に導通するための導通部が配置されている
ことが好ましい。
【００１７】
この発明によれば、同一基板上に配置されていないシフトレジスタ部とラッチ回路とを
電気的に導通することができ、同一基板上に配置されている従来の電気光学装置と同一の
機能を発揮でき、かつ、基板の額縁幅を平面方向に増大することなく、また、基板の厚み
方向を増大することもない。
【００１８】
また、本発明の電気光学装置では、前記水平駆動回路は、シフトパルス信号を出力する
シフトレジスタ部と、前記シフトレジスタ部から出力される前記シフトパルス信号に基づ
いて、外部から入力されるデジタル画像信号を直並列変換して記憶するラッチ回路と、前
記ラッチ回路に記憶されている直並列変換後の前記デジタル画像信号をアナログ画像信号
に変換するデジタル／アナログ変換部とから構成されており、前記デジタル／アナログ変
換部は、前記第１の基板側に配置されており、前記ラッチ回路および前記シフトレジスタ
部は、前記第２の基板側に配置されていることが好ましい。
【００１９】
この発明によれば、第１の基板側にデジタル／アナログ変換部を配置し、第２の基板側
にラッチ回路およびシフトレジスタ部を配置するので、基板の額縁幅を平面方向に増大す
ることなく、また、基板の厚み方向を増大することもない。
【００２０】
また、本発明の電気光学装置では、前記第１の基板と前記第２の基板との間には、前記
ラッチ回路と前記デジタル／アナログ変換部とを電気的に導通するための導通部が設けら
れていることが好ましい。
【００２１】
この発明によれば、同一基板上に配置されていないラッチ回路とデジタル／アナログ変
換部とを電気的に導通することができ、同一基板上に配置されている従来の電気光学装置
と同一の機能を発揮でき、かつ、基板の額縁幅を平面方向に増大することなく、また、基
板の厚み方向を増大することもない。
【００２２】
また、本発明の電気光学装置では、前記垂直駆動回路および前記水平駆動回路は、前記
第１の基板側に配置されており、前記電源回路は、前記第２の基板側に配置されているこ
とが好ましい。
【００２３】
この発明によれば、第１の基板側に垂直駆動回路および水平駆動回路を配置し、第２の
基板側に電源回路を配置するので、基板の額縁幅を平面方向に増大することなく、また、
基板の厚み方向を増大することもない。
【００２４】
また、本発明の電気光学装置では、前記第１の基板と前記第２の基板との間には、前記
垂直駆動回路および前記水平駆動回路と、前記電源回路とを電気的に導通するための導通
部が設けられていることが好ましい。
【００２５】
この発明によれば、同一基板上に配置されていない垂直駆動回路および水平駆動回路と
、電源回路とを電気的に導通することができ、同一基板上に配置されている従来の電気光
学装置と同一の機能を発揮でき、かつ、基板の額縁幅を平面方向に増大することなく、ま
た、基板の厚み方向を増大することもない。
【００２６】
また、本発明の電気光学装置では、前記導通部は、前記第１の基板と前記第２の基板と
を接着する接着材と一体的に構成されていることが好ましい。ただし、第１の基板と第２
の基板を導通する部分の接着剤には導電性の粒子を混入し、接着のみを目的とする部分の
接着剤には導電性粒子を混入させなくても良い。
【００２７】
この発明によれば、導通部を接着剤と一体的に構成するので、別途導通部を設ける必要
がなく、省スペース化を図ることができる。
【００２８】
さらに、本発明の電子機器は、上述の電気光学装置を備えたことを特徴とする。
この発明によれば、上述した効果と同様の効果がある。
【発明を実施するための最良の形態】
【００２９】
以下、本発明の実施形態を図面に基づいて説明する。なお、以下の実施形態においては
、アクティブマトリクス型の駆動方式を採用する電気光学装置について説明を行うが、ア
クティブマトリクス型に限られるものではない。
【００３０】
本発明に係る電気光学装置１は、図１（ａ）に示すように、複数の画素が行列状に配列
されてなる画素部１０を有する第１の基板（以降、アレイ基板と呼ぶ）１１と、アレイ基
板１１に対向して配置され、画素部１０に対応して設けられた複数色のカラーフィルター
（CF、Color  Filter）を有する第２の基板（以降、対向基板と呼ぶ）１２と、アレイ基
板１１と対向基板１２との間に挟持されてなる液晶等の電気光学物質１３とを備える。
【００３１】
ここで、アレイ基板１１と、対向基板１２の構成について図２を用いて詳述する。アレ
イ基板１１は、図２に示すように、所定間隔おきに設けられた複数の走査線１１０と、こ
れら走査線１１０に略直交し所定間隔おきに設けられた複数のデータ線１２０と、複数の
走査線１１０と略平行かつ交互に設けられた容量線１４０とを備える。なお、図２中、走
査線１１０のうち上から順に、走査線１１０Ａ、１１０Ｂ、１１０Ｃとし、データ線１２
０のうち左から順に、データ線１２０Ａ、１２０Ｂとする。
【００３２】
また、各走査線１１０と各データ線１２０との交差部分には、画素１５０が設けられて
いる。この画素１５０は、ＴＦＴ（Thin  Film  Transistor）１５１のほか、画素電極１
５５、およびこの画素電極１５５に一端が接続され他端が容量線１４０に接続された蓄積
容量１５３で構成される。
【００３３】
また、ＴＦＴ１５１のゲートには、走査線１１０が接続され、ＴＦＴ１５１のソースに
は、データ線１２０が接続され、ＴＦＴ１５１のドレインには、画素電極１５５および蓄
積容量１５３が接続されている。このＴＦＴ１５１は、走査線１１０からの選択電圧に応
じて、データ線１２０を画素電極１５５および蓄積容量１５３に断続する。具体的には、
走査線１１０に選択電圧が印加されると、データ線１２０と画素電極１５５および蓄積容
量１５３とを導通状態とする。
【００３４】
対向基板１２には、画素電極１５５に対向して共通電極１５６が形成されており、これ
ら共通電極１５６は、アレイ基板１１上のコモン線１３０に接続されている。
【００３５】
また、電気光学装置１は、図１（ｂ）に示すように、画素部１０の各画素を行単位で選
択する垂直駆動回路（以降、走査線駆動回路と呼ぶ）１４と、走査線駆動回路１４により
選択された行の各画素に対して画像信号を供給する水平駆動回路（以降、データ線駆動回
路と呼ぶ）１５と、走査線駆動回路１４とデータ線駆動回路１５とに所定の電圧を供給す
る電源回路１６と、所定のタイミング制御信号を生成し、生成したタイミング制御信号を
走査線駆動回路１４およびデータ線駆動回路１５に供給するタイミング・コントロール（
Ｔ／Ｃ）部１７と、走査線１１０およびデータ線１２０にそれぞれ対応する信号を入出力
するためのフレキ基板（ＴＣＰ，Tape  Carrier  Package）１８を備える。
【００３６】
走査線駆動回路１４は、上述したＴＦＴ１５１をオン、オフする選択電圧を各走査線１
１０に線順次で供給する。例えば、ある走査線１１０に制御信号が供給されると、この走
査線１１０に接続されたＴＦＴ１５１が全てオンになり、この走査線１１０に係る画素が
全て選択される。
【００３７】
データ線駆動回路１５は、画像信号を各データ線１２０に供給し、オン状態のＴＦＴ１
５１を介して、画素１５０の画素電極１５５に画像データを順次書き込む。ここで、デー
タ線駆動回路１５は、共通電極１５６の電圧を基準電圧として、この共通電極１５６の電
圧よりも高い電圧でデータ線１２０に画像信号を供給する正極性書込と、共通電極１５６
の電圧よりも低い電圧でデータ線１２０に画像信号を供給する負極性書込とを交互に行う
。
【００３８】
このデータ線駆動回路１５は、液晶の焼付けを防止するため、例えば、交流電圧を用い
て１水平ラインごとに交互に正極性書込または負極性書込を行う１Ｈ反転駆動方式で駆動
される。
【００３９】
また、データ線駆動回路１５は、図３に示すように、シフトパルス信号Ｓ１を出力する
シフトレジスタ部２０と、シフトレジスタ部２０から出力されるシフトパルス信号Ｓ１に
基づいて、外部から入力されるデジタル画像信号Ｓ２を直並列変換して記憶するラッチ回
路２１と、ラッチ回路２１に記憶されている直並列変換後のデジタル画像信号Ｓ３をアナ
ログ画像信号Ｓ４に変換するデジタル／アナログ変換部２２と、デジタル／アナログ変換
部２２により変換されたアナログ画像信号Ｓ４を記憶保持するバッファ部２３とを備える
。また、バッファ部２３に記憶保持されているアナログ画像信号Ｓ４は、画素部１０に供
給される。
【００４０】
また、シフトレジスタ部２０、ラッチ回路２１およびデジタル／アナログ変換部２２は
、アレイ基板１１および対向基板１２にそれぞれ振り分けられて配置されている。
【００４１】
＜第１の実施例＞
ここで、シフトレジスタ部２０、ラッチ回路２１およびデジタル／アナログ変換部２２
がアレイ基板１１および対向基板１２にどのように振り分けて配置されているのかについ
て具体的に説明する。
【００４２】
図４に示すように、シフトレジスタ部２０およびラッチ回路２１は、アレイ基板１１に
配置され、デジタル／アナログ変換部２２は、対向基板１２に配置されている。なお、図
４（ａ）には、電気光学装置１の断面図を示し、図４（ｂ）には、対向基板１２側から見
た電気光学装置１の上面図を示す。また、対向基板１２は、アレイ基板１１よりも表面積
が小さい。また、図４（ｂ）中に示す線Ａは、対向基板１２のエッジを示している。
【００４３】
また、このような配置の場合には、アレイ基板１１と対向基板１２との間には、ラッチ
回路２１とデジタル／アナログ変換部２２とを電気的に導通するための導通部１００が設
けられている。
【００４４】
また、アレイ基板１１と対向基板１２とは、電気光学物質１３を封止するために、シー
ル部材１０１により張り合わされている。導通部１００は、このシール部材１０１と一体
的に構成されていても良い。
【００４５】
このような構成にすることにより、データ線駆動回路１５をすべてアレイ基板１１に配
置する構成に比べて、額縁幅を低減することができる。
【００４６】
＜第２の実施例＞
また、表示品位に関わるデジタル／アナログ変換部２２は、アレイ基板１１に配置し、
それ以外の回路は、対向基板１２に配置するような構成であっても良い。
【００４７】
具体的には、図５に示すように、ラッチ回路２１およびデジタル／アナログ変換部２２
は、アレイ基板１１に配置され、シフトレジスタ部２０は、対向基板１２に配置されてい
る。なお、図５（ａ）には、電気光学装置１の断面図を示し、図５（ｂ）には、対向基板
１２側から見た電気光学装置１の上面図を示す。また、対向基板１２は、アレイ基板１１
よりも表面積が小さい。また、図５（ｂ）中に示す線Ａは、対向基板１２のエッジを示し
ている。
【００４８】
また、このような配置の場合には、アレイ基板１１と対向基板１２との間には、シフト
レジスタ部２０とラッチ回路２１とを電気的に導通するための導通部１００が設けられる
。なお、上述した第１の実施例と同様に、導通部１００は、アレイ基板１１と対向基板１
２とを張り合わせているシール部材と一体的に構成されても良い。
【００４９】
また、図６に示すように、デジタル／アナログ変換部２２は、アレイ基板１１に配置さ
れ、シフトレジスタ部２０およびラッチ回路２１は、対向基板１２に配置されている。な
お、図６（ａ）には、電気光学装置１の断面図を示し、図６（ｂ）には、対向基板１２側
から見た電気光学装置１の上面図を示す。また、対向基板１２は、アレイ基板１１よりも
表面積が小さい。また、図６（ｂ）中に示す線Ａは、対向基板１２のエッジを示している
。
【００５０】
また、このような配置の場合には、アレイ基板１１と対向基板１２との間には、ラッチ
回路２１とデジタル／アナログ変換部２２とを電気的に導通するための導通部１００が設
けられる。なお、上述した第１の実施例と同様に、導通部１００は、アレイ基板１１と対
向基板１２とを張り合わせているシール部材と一体的に構成されても良い。
【００５１】
このような構成にすることにより、データ線駆動回路１５をすべてアレイ基板１１に配
置する構成に比べて、額縁幅を低減することができ、また、対向基板１２側にデジタルデ
ータの伝送系をまとめるので、上下（アレイ基板１１と対向基板１２）接続に伴う回路定
数のばらつきに伴う表示ムラ等の不具合を回避することができる。
【００５２】
＜第３の実施例＞
また、図７に示すように、走査線駆動回路１４およびデータ線駆動回路１５は、アレイ
基板１１に配置し、電源回路１６は、対向基板１２にそれぞれ振り分けて配置されていて
も良い。なお、図７（ａ）には、電気光学装置１の断面図を示し、図７（ｂ）には、対向
基板１２側から見た電気光学装置１の上面図を示す。また、対向基板１２は、アレイ基板
１１よりも表面積が小さい。また、図７（ｂ）中に示す線Ａは、対向基板１２のエッジを
示している。
【００５３】
また、このような配置の場合には、アレイ基板１１と対向基板１２との間には、走査線
駆動回路１４およびデータ線駆動回路１５と、電源回路１６とを電気的に導通するための
導通部１００が設けられる。なお、上述した第１の実施例と同様に、導通部１００は、ア
レイ基板１１と対向基板１２とを張り合わせているシール部材と一体的に構成されても良
い。
【００５４】
このような構成によれば、アレイ基板１１と対向基板１２との間の配線は、電源回路１
６から走査線駆動回路１４およびデータ線駆動回路１５に供給する電源線のみで足りるた
め、アレイ基板１１と対向基板１２との間の配線数を最小にすることができる。
【００５５】
また、電源回路１６は、例えば、所定の直流電圧を生成するＤＣ−ＤＣコンバータであ
り、コンデンサ（Ｃ）や抵抗（Ｒ）等の受動素子を構成要素としており、ある程度大きな
スペースを必要とするため、走査線駆動回路１４等と同一基板上に配置すると額縁幅が大
きくなってしまう。また、外部部品の場合には、当該部品の高さが高いため、コンパクト
モジュールの要請に応えることが困難となる。本発明に係る電気光学装置１では、外部部
品ではない受動素子を構成要素とする電源回路１６を他の回路とは異なる基板に配置する
ので、額縁幅を減少することができ、コンパクトモジュールの要請にも応えることができ
る。
【００５６】
また、上述した実施形態では、本発明を液晶を用いた電気光学装置１に適用したが、こ
れに限らず、液晶以外の電気光学物質を用いた電気光学装置にも適用できる。電気光学物
質とは、電気信号（電流信号または電圧信号）の供給によって透過率や輝度といった光学
的特性が変化する物質である。例えば、有機ＥＬ（Electro−Luminescent）や発光ポリマ
ーなどのＯＬＥＤ素子を電気光学物質として用いた表示パネルなど各種の電気光学装置に
対しても、上記実施形態と同様に本発明が適用され得る。
【００５７】
＜電子機器＞
つぎに、上述した本発明に係る電気光学装置１を適用した電気機器について説明する。
図８に、電気光学装置１を適用した携帯電話機の構成を示す。携帯電話機３０００は、複
数の操作ボタン３００１およびスクロールボタン３００２、並びに表示ユニットとしての
電気光学装置１を有する。携帯電話機３０００は、スクロールボタン３００２を操作する
ことにより、電気光学装置１上に表示される画面がスクロールされる。
【００５８】
また、電気光学装置１が適用される電子機器としては、携帯電話機３０００の他に、パ
ーソナルコンピュータ、情報携帯端末、デジタルスチルカメラ、液晶テレビ、ビューファ
インダ型、モニタ直視型のビデオテープレコーダ、カーナビゲーション装置、ページャ、
電子手帳、電卓、ワードプロセッサ、ワークステーション、テレビ電話、ＰＯＳ端末、タ
ッチパネルを備えた機器などが挙げられる。そして、これらの各種電子機器の表示部とし
て、前述した電気光学装置が適用可能である。
【図面の簡単な説明】
【００５９】
【図１】本発明の一実施形態に係る電気光学装置の構成を示すブロック図であり、（ａ）は、その断面図であり、（ｂ）は、その上面図である。
【図２】図１に示す電気光学装置の部分拡大平面図である。
【図３】図１に示す電気光学装置に備えられているデータ線駆動回路の構成を示すブロック図である。
【図４】本発明の一実施形態に係る電気光学装置の第１の図であり、（ａ）は、その断面図であり、（ｂ）は、その上面図である。
【図５】本発明の一実施形態に係る電気光学装置の第２の図であり、（ａ）は、その断面図であり、（ｂ）は、その上面図である。
【図６】本発明の一実施形態に係る電気光学装置の第３の図であり、（ａ）は、その断面図であり、（ｂ）は、その上面図である。
【図７】本発明の一実施形態に係る電気光学装置の第４の図であり、（ａ）は、その断面図であり、（ｂ）は、その上面図である。
【図８】上述の電気光学装置を適用した携帯電話機の構成を示す斜視図である。
【符号の説明】
【００６０】
１…電気光学装置、１０…画素部、１１…第１の基板（アレイ基板）、１２…第２の基
板（対向基板）、１３…電気光学物質、１４…垂直駆動回路（走査線駆動回路）、１５…
水平駆動回路（データ線駆動回路）、１６…電源回路、１７…タイミング・コントロール
（Ｔ／Ｃ）部、１８…フレキ基板（ＴＣＰ）、２０…シフトレジスタ部、２１…ラッチ回
路、２２…デジタル／アナログ変換部、２３…バッファ部、１００…導通部、１０１…シ
ール部材、１１０、１１０Ａ、１１０Ｂ、１１０Ｃ…走査線、１２０、１２０Ａ、１２０
Ｂ…データ線、１３０…コモン線、１５０…画素、１５１…ＴＦＴ（スイッチング素子）
、１５５…画素電極、１５６…共通電極。
【図１】
2007304387.tif 000003
【図２】
2007304387.tif 000004
【図３】
2007304387.tif 000005
【図４】
2007304387.tif 000006
【図５】
2007304387.tif 000007
【図６】
2007304387.tif 000008
【図７】
2007304387.tif 000009
【図８】
2007304387.tif 000010